【手続補正書】
【提出日】平成16年6月17日(2004.6.17)
【手続補正１】
【補正対象書類名】明細書
【補正対象項目名】全文
【補正方法】変更
【補正の内容】
【書類名】      明細書
【発明の名称】  遊技機
【特許請求の範囲】
【請求項１】
支持枠体に支持され遊技者が対面して遊技を行う遊技面を備えた遊技台と、
同遊技台に対して開閉可能に支持され同遊技面の前方に配置される扉枠と、
同扉枠の下方に配置され、同扉枠と一体化してあるいは単独で前記遊技台に対して開閉可能に支持され払い出し機構から供給されるパチンコ球を貯留する上受け皿と、
常時は前記上受け皿方向にパチンコ球を誘導するとともに、同上受け皿へのパチンコ球の供給が所定以上となった場合に同上受け皿に貯留しきれずにオーバーフローしたパチンコ球をオーバーフロー通路方向に誘導する分岐機構と、
同オーバーフロー通路の下流に配置され分岐機構によって誘導されたパチンコ球が導かれる下受け皿とを備えた遊技機において、
前記分岐機構を前記払い出し機構から分離して別体として構成したことを特徴とする遊技機。
【請求項２】
前記分岐機構を前記遊技台に装着したことを特徴とする請求項１に記載の遊技機。
【請求項３】
前記遊技面は前記遊技台の上半身に配置された遊技盤前面に形成され、前記分岐機構を同遊技盤の最下端よりも下方位置に配置させたことを特徴とする請求項１又は２に記載の遊技機。
【請求項４】
前記払い出し機構の下方であって前記遊技台の裏面には各種制御基板を搭載する基板取り付けベースを配設し、前記分岐機構を同基板取り付けベースに配設したことを特徴とする請求項１〜３のいずれかに記載の遊技機。
【請求項５】
前記分岐機構は交換可能に基板取り付けベースに装着されていることを特徴とする請求項４に記載の遊技機。
【発明の詳細な説明】
【０００１】
【発明の属する技術分野】
本発明は、パチンコ遊技機やパチロット等のパチンコ球を使用する遊技機に関し、特に上受け皿へのパチンコ球の供給が所定以上となった場合にオーバーフローしたパチンコ球を下受け皿に導くようにした遊技機に関するものである。
【０００２】
【従来の技術】
例えばパチンコ球を使用する遊技機の一種であるパチンコ遊技機では遊技者は入賞口に遊技球としてのパチンコ球を入賞させ多くの賞球としてのパチンコ球を得ることを目的の一つとしている。この入賞に伴う賞球は遊技台としてのパチンコ機本体の背面に配置された機構盤に併設された払い出し機構から放出されパチンコ機本体を通過して上受け皿に供給されるようになっている。
いわゆる大当たり状態となった場合のように連続的に入賞が繰り返されると大量の賞球が払い出し機構から供給される。しかし、上受け皿にパチンコ球が集中して流入し溢れ出てしまってはいけないため、上受け皿が一杯になった場合にはオーバーフローしたパチンコ球は下受け皿に迂回させられるようになっている。例えば従来のパチンコ遊技機におけるオーバーフロー機構は次の通りである。
図２６に示すように、パチンコ遊技機の機構盤１２１には払い出し機構１２２が一体化して併設されている。払い出し機構１２２はタンクから供給されたパチンコ球をせき止めるともに、払い出し基板からの命令に従って払い出しする払い出し装置（図示せず）と、その下方の払い出しされたパチンコ球が流下する払い出し通路１２３と、払い出し通路１２３の下方の分岐機構１２４を備えている。  図２６〜図２８に示すように、分岐機構１２４は前方に開口する主連通路１２５と副連通路１２６とを備えたスペースであって払い出し通路１２３から流下するパチンコ球の流れは図上矢印で示すように基本的に主連通路１２５に導かれるようになっている。パチンコ球は主連通路１２５からパチンコ機本体１２７の中間通路１２９を通り、更に中間通路１２９に面して配置される連絡通路１３０を通って上受け皿１３１に至るような構造とされている。
一方、図３０に示すようにこの主連通路１２５〜上受け皿１３１の間がパチンコ球で一杯になってしまうと払い出し機構１２２を下降してきたパチンコ球は主連通路１２５と副連通路１２６との隔壁１３２を乗り越えて副連通路１２６方向に流れるようになっている。そして図３０に示すように副連通路１２６から流下するパチンコ球はオーバーフロー通路１３４を流下して図示しない下受け皿に至るような構造とされている。
【０００３】
【発明が解決しようとする課題】
図２６に示すように、分岐機構１２４には上方からかなりの勢いをもってパチンコ球が落下してくる。しかも、大量のパチンコ球が内部に充満しその重量による内圧もかなり大きなものとされる。そのため、払い出し機構１２２のうちでもこの分岐機構１２４は最もひび、割れ等の破損や摩耗の問題が生ずる箇所である。ところが、従来のパチンコ遊技機では分岐機構１２４は払い出し機構１２２自体が機構盤１２１と一体化していたためこのような不具合が生じても分岐機構１２４のみを交換するということはできなかった。
本発明は、このような従来の技術に存在する問題点に着目してなされたものである。その目的とするところは、分岐機構を交換可能とした遊技機を提供することにある。
【０００４】
【課題を解決するための手段】
上記の目的を達成するために、請求項１に記載の発明では、支持枠体に支持され遊技者が対面して遊技を行う遊技面を備えた遊技台と、同遊技台に対して開閉可能に支持され同遊技面の前方に配置される扉枠と、同扉枠の下方に配置され、同扉枠と一体化してあるいは単独で前記遊技台に対して開閉可能に支持され払い出し機構から供給されるパチンコ球を貯留する上受け皿と、常時は前記上受け皿方向にパチンコ球を誘導するとともに、同上受け皿へのパチンコ球の供給が所定以上となった場合に同上受け皿に貯留しきれずにオーバーフローしたパチンコ球をオーバーフロー通路方向に誘導する分岐機構と、同オーバーフロー通路の下流に配置され分岐機構によって誘導されたパチンコ球が導かれる下受け皿とを備えた遊技機において、前記分岐機構を前記払い出し機構から分離して別体として構成したことをその要旨とする。
請求項２に記載の発明では請求項１に記載した発明の構成に加え、前記分岐機構を前記遊技台に装着したことをその要旨とする。
請求項３に記載の発明では請求項１又は２に記載した発明の構成に加え、前記遊技面は前記遊技台の上半身に配置された遊技盤前面に形成され、前記分岐機構を同遊技盤の最下端よりも下方位置に配置させたことをその要旨とする。
請求項４に記載の発明では請求項１〜３のいずれかに記載した発明の構成に加え、前記払い出し機構の下方であって前記遊技台の裏面には各種制御基板を搭載する基板取り付けベースを配設し、前記分岐機構を同基板取り付けベースに配設したことをその要旨とする。  請求項５に記載の発明では請求項４に記載した発明の構成に加え、前記分岐機構は交換可能に基板取り付けベースに装着されていることをその要旨とする。
【０００５】
上記発明のような構成では、分岐機構を前記払い出し機構から分離して別体として構成したため分岐機構に破損や摩耗が生じた場合に単独で交換できるとともに、直接パチンコ球が落下しない部材に対する負荷の少ない位置に配置させることが可能となる。
【０００６】
【発明の効果】  上記記載の発明では、分岐機構を前記払い出し機構から分離して別体として構成したため分岐機構に破損や摩耗が生じた場合に単独で交換できるとともに、直接パチンコ球が落下しない部材に対する負荷の少ない位置に配置させることが可能となる。
【０００７】
【発明の実施の形態】
以下、本発明をパチンコ遊技機に応用した実施の形態について図面に基づいて説明する。特に本実施の形態では従来に比べて遊技面を大型化したパチンコ遊技機に本発明を化体させて説明する。ここに「従来に比べて大型化した遊技面を備えたパチンコ遊技機」とは遊技者の興趣をより盛り上げるために遊技面を大型化した機種であり、遊技面が大型化することにより遊技面中央に配置される表示装置の液晶画面を大きくすることが可能となり、迫力ある大画面を遊技者は享受でき遊技者に対するアピール度が増すことができる機種である。更に、同機種では遊技面が大きくなるため左右方向への遊技球（パチンコ球）の拡散度が大きくなり遊技自体の視覚的な刺激が増すこととなり、落下する遊技球の落下距離も長くなるため遊技球が入賞口に入賞するかどうかの期待感も増すこととなるものである。
尚、以下の説明においては前面、前方或いは表面側とは遊技者が正対する側をいい、後面、後方或いは背面側とはそれら正対する側の反対側をいう。また、特記なき限り左右とは前面からみた左右方向をいう。
【０００８】
図１及び図５に示すように、パチンコ遊技機の支持枠体としての外枠１は上下左右の各枠板１ａ〜１ｄによって四角形に枠組みされた木製の枠体とされている。下部枠板１ｂ上面には幕板２が配設されている。
外枠１には遊技台としての遊技機本体４が装着されている。遊技機本体４はパチンコ遊技機の構造的な中核を形成するパネル状の構成部材であってヒンジ金具６の回動軸６ａを中心に回動し外枠１に対して図２に示す開閉用金具４ａによって開閉可能にかつ着脱可能に装着されている。
図２に示すように、遊技機本体４を中心としてその他のパネル状の構成部材がその前後方向に積層状に配置されている。まず図２に基づいて各構成部材の概略の配置状態とそれらに付随する主要構成部材について説明し、次いで個々の構成部材について詳述する。
遊技機本体４の上半身に形成された遊技盤取り付けスペース９には遊技盤５が嵌合されている。遊技盤５の前方には扉枠７が配設されている。扉枠７の上方位置にはガラス窓Ｇが嵌合されており、同ガラス窓Ｇの下方位置にはパチンコ球受け皿としての上受け皿８が形成されている。
遊技盤５の後方位置には遊技盤５を背面から覆うように機構盤１０が配設されている。機構盤１０の直下には基板取り付けベース１１が配設されている。遊技盤５の下方位置にはカバープレート１３が配設されている。カバープレート１３は遊技機本体４に対して固着されている。カバープレート１３には前方に突出形成した下受け皿１４が形成されている。カバープレート１３は従来の機種における下部カバープレートに相当する。単にカバープレート１３としたのは本実施の形態では上受け皿８の扉枠７側への移動に伴って本来上受け皿８が配設される上部カバープレートが不要となっているからである。下受け皿１４の右側方には操作ハンドル１５が取付けられている。
【０００９】
まず、遊技機本体４及び遊技盤５について詳しく説明する。
図１、図７及び図８に示すように、遊技機本体４の上半身には横架フレーム１８及び左右の縦フレーム１９によって額縁状に縁取られた遊技盤取り付けスペース９が形成されている。遊技盤取り付けスペース９の下方は図１０に示すようにパチンコ球処理領域２１とされ、同パチンコ球処理領域２１の下方には更にパチンコ球発射機構２３及び音響機構２４が配設されている。遊技盤５はパチンコ球処理領域２１の天板２２上に載置され遊技盤取り付けスペース９に嵌合されている。図６に示すように、遊技盤５は略正方形のパネル体であって、遊技盤５の前面にほぼ垂直に配置された遊技面２０上には内レール２５及び外レール２６によって包囲された略円形の遊技領域２７が形成されている。遊技領域２７内には入賞口２８及び可変表示装置２９等が所定位置に配設されている。内レール２５の最下部位置にはアウト球回収口３０が形成されている。遊技が終了して入賞口２８に入賞しなかったパチンコ球（遊技球）はアウト球としてアウト球回収口３０から後方に退場する。尚、釘については図示が省略されている。
図７及び図８に示すように、遊技盤取り付けスペース９前面には前記遊技領域２７に応じた形状に縁取られた幕板３１が形成されている。幕板３１は天板２２上に載置された遊技盤５を保持するとともに前方への脱落を防止する機能を有する。
図３及び図５に示すように遊技領域２７は出願人の従来の機種（上受け皿が遊技機本体側に配設されているもの）と比較して大径とされるとともに、可変表示装置２９の表示画面２９ａも大型化して遊技領域２７内においてかなり大きな面積を占めている。これは上受け皿を遊技盤の下方位置に移動させることで上受け皿に関する機構を分散でき、その結果遊技盤を上下方向により長く構成することができるようになったことが主たる理由である。
【００１０】
図１１に示すように、遊技盤５の裏面であって可変表示装置２９の下方位置には３箇所にセーフ球集合樋３２が配設されている。セーフ球集合樋３２の下方にはセーフ球集合板３４が配設されている。セーフ球集合樋３２は入賞したパチンコ球（セーフ球）が遊技領域２７から退場後に通過する背面側の通路であって、セーフ球集合樋３２に導かれたセーフ球はセーフ球集合板３４の内部（遊技盤５との間でなす隙間）を通過して下方に落下する。
図９〜図１１に示すように、セーフ球集合樋３２及びセーフ球集合板３４の背面にはメイン基板３３が配設されている。メイン基板３３には遊技内容に応じたプログラムやこれを起動させるためのプログラム等が個々の機種に応じて封印されて配設されている。
【００１１】
次に遊技盤５のパチンコ球処理領域２１の周辺の構造について説明する。
パチンコ球処理領域２１には後述する払い出し機構４０から供給されるパチンコ球を前面（遊技者側）に導く導入通路４５とパチンコ球を外部に導く排出通路４６とが配設されている。まず導入通路４５について説明する。
導入通路４５は上受け皿８にパチンコ球を導く主通路４７と上受け皿８が一杯になった場合に下受け皿１４方向にオーバーフローしたパチンコ球を導くバイパス通路４９とを備えている。図９〜図１１に示すように主通路４７は遊技機本体４の裏面側に導入口５０を備え、図１、図５等に示すように遊技機本体４の表面側の導出口５１に連通されている。図１３、図１４及び図１６に示すように、主通路４７内には導入口５０から導入したパチンコ球を前方に流下させる流下面４７ａが形成されている。流下面４７ａには前方に向かって緩やかな傾斜が設けられている。流下面４７ａはその途中で途切れており、導出口５１は空間を隔てた流下面４７ａ前方に配置される。
【００１２】
図９〜図１１並びに図１５及び図１６に示すようにバイパス通路４９は遊技機本体４の裏面側に導入口５２を備え遊技機本体４前面に配設されたオーバーフロー通路としての下受け皿用通路５３内に連通されている。バイパス通路４９内には導入口５２から導入したパチンコ球が前方に流下する流下面４９ａが形成されている。流下面４９ａには前方に向かって緩やかな傾斜が設けられている。
主通路４７及びバイパス通路４９は図１０及び図１１に示すように遊技盤５が載置されている天板２２位置よりも下方位置であって左方（同図では右方）に形成されている。
図１、図５、図９〜図１１及び図１６に示すように下受け皿用通路５３は遊技機本体４前面左側から右方向に横行して前記下受け皿１４の流入口１４ａに連通されている。下受け皿用通路５３はパチンコ球処理領域２１の前面左方向においてバイパス通路４９の流下面４９ａから流下するパチンコ球を下方に落下させる第１の通路５３ａと落下するパチンコ球をスムーズに略９０度右方に方向転換させる曲面に形成された案内部５３ｂとパチンコ球を斜め右下方に案内する第２の通路５３ｃから構成される。第２の通路５３ｃは遊技機本体４の左右方向の略中央位置において下受け皿１４の流入口１４ａに接続されている。図１６に示すように、第２の通路５３ｃの起点位置の上方は開放空間５４とされて前記主通路４７の流下面４７ａの下端部が現れている。
【００１３】
図１、図５、図１３及び図１４に示すように、導出口５１にはフラップ５５が立設されている。フラップ５５は回動軸５５ａによって回動可能に軸支されるとともに図示しないバネによって付勢されている。図１４に示すように、扉枠７を閉鎖させることで後述する差し込み受け皿５７が導出口５１から開放空間５４に差し込まれることとなる。差し込み受け皿５７の流下面５７ａは開放空間５４に差し込まれた状態で主通路４７の流下面４７ａよりも若干低い位置に配設され、同流下面４７ａを流下するパチンコ球をさらにすみやかに下流に流下させるために前方に向かって緩やかな傾斜が設けられている。
差し込み受け皿５７の差し込みに伴ってフラップ５５は開放空間５４側に倒伏させられるとともに、開放空間５４によって途切れた流下面４９ａの下流位置に導出口５１方向への橋が架けられることとなる。この状態で主通路４７の流下面４７ａを流下してきたパチンコ球は差し込み受け皿５７上に流入し、更に導出口５１から上受け皿８に導かれることとなる。
一方、扉枠７を開放した際には図１３に示すようにフラップ５５はバネの付勢力によって起立位置に復帰する。この状態ではパチンコ球は導出口５１には導かれない。すなわち、扉枠７と一体的に開放されてしまった上受け皿８にパチンコ球を導くことはできないため上流から流下するパチンコ球を下受け皿１４に導く必要がある。すなわち、差し込み受け皿５７がなくなるためパチンコ球は開放空間５４から下方の第２の通路５３ｃ方向に落下し下受け皿１４に流入することとなる。このとき、勢いよく流下面４９ａを流下してきたパチンコ球はフラップ５５によって導出口５１からの外部への飛び出しが防止される。
図１６に示すように、開放空間５４と隣接する第１の通路５３ａとはその途中に隔壁がなく連通状態とされている。そのため、主通路４７に導かれるパチンコ球が多すぎて流下できなくなった場合にはそのオーバーフローしたパチンコ球は主通路４７から差し込み受け皿５７に至る途中で開放空間５４から第１の通路５３ａの方向に移動して下受け皿用通路５３に導かれる（つまり下受け皿１４に流入する）ようになっている。つまり、バイパス通路４９を通らないで主通路４７に導かれたパチンコ球が遊技機本体４前面に至った段階でオーバーフロー状態となると、下受け皿１４方向に迂回することとなっている。
【００１４】
ここに、図２７〜図２９に示すように、従来の機種においては扉枠を開放した際に上受け皿への通路が遮断されるためパチンコ球がこぼれないように下受け皿へパチンコ球を導く通路１３３が遊技機本体に形成されていた（通路１３３は本実施の形態の下受け皿用通路５３のように周囲が完全に覆われた通路ではなく上方が開放されたレール状部材に過ぎない）。この通路１３３はオーバフローしたパチンコ球を下受け皿に導く機能は全くなく、あくまで上受け皿１２７の開放によって本来上受け皿１２７方向へ流下すべきパチンコ球の逃げ道として下受け皿に導く機能を有するに過ぎない。
この点で、本実施の形態の下受け皿用通路５３はオーバフローしたパチンコ球を下受け皿に導く機能と扉枠開放に伴う上受け皿への通路遮断によりパチンコ球を下受け皿に導く機能の両方の機能を兼ね備えていることとなる。
尚、差し込み受け皿５７は扉枠７の閉塞時に開放空間５４からパチンコ球が下受け皿１４方向に流れてしまわないように設けられているものであって、この機構によって下受け皿用通路５３が両方の機能を兼ね備えることが可能となっている。
図１、図５及び図１２に示すように、下受け皿用通路５３の第２の通路５３ｃ下方にはセンサ収納部６６が併設されている。センサ収納部６６内には図示しないリミットスイッチが配設されており、下受け皿１４がパチンコ球で一杯になり第２の通路５３ｃ側に溢れた際にこれを検出して後述する払い出し装置９６からの賞球（パチンコ）の放出を休止させる。センサ収納部６６の右方には後述する迂回通路８９（図１参照）と接続され上受け皿８からのパチンコ球を下受け皿１４に回避させるための連絡通路１０４が形成されている。
【００１５】
次に排出通路４６について説明する。図９〜図１１に示すように、排出通路４６はアウト球回収口３０から落下してくるアウト球及びセーフ球集合板３４から落下してくるセーフ球を受け止めて下流（図１１では右方）に流下させる第１の傾斜面５８と、第１の傾斜面５８を流下するアウト球及びセーフ球を受け止めて流下方向を逆転させて（図１１では左方）中央寄りにアウト球及びセーフ球を導く第２の傾斜面５９とを備えている。第２の傾斜面５９の下端には図示しない外部レールと連通する排出口６０が形成されている。
ところで、従来のパチンコ遊技機では機構盤の下部に大型のセーフ球処理装置が配設されていた。そして、セーフ球は機構盤に形成された誘導通路を介して一旦すべてセーフ球処理装置に送られて保留され、セーフ球の機械的なカウントによって払い出し装置を駆動させるようになっていた。主としてこのセーフ球処理装置を配置するスペース的な余裕のなさから従来では払い出し装置から払い出されるパチンコ球（賞球）の払い出し位置（後述する分岐機構６１に相当する）は上方に配置せざるを得ず、一部遊技盤を切り欠いて通路を設けるような構成とされていた。
従って、セーフ球はこのセーフ球処理装置方向に送る必要があることからこのような排出通路４６は従来の機種には設けられていなかった。また、スペース的にも配置する余裕はなかった。
【００１６】
これに対して、本実施の形態ではセーフ球処理装置を廃し、排出通路４６が設けられている。これは機械的に払い出し装置を駆動させるのではなく、上記基板取り付けベース１１に配設される払い出し基板（図示せず）による電気的な制御によって払い出し装置９６を駆動させるようにしたものである。より具体的には払い出し装置９６は次のように作動させられる。まず、入賞口には図示しない検出手段（センサ）が併設され入賞があった旨はこの検出手段で検出される。そのため以後はセーフ球は不要であり上記のようにセーフ球集合板３４に落下させてアウト球と同様に排出処理しても構わなくなる。検出信号によって入賞数がカウントされ払い出し基板の制御装置はこのカウント数に基づいて後述する払い出し装置９６を駆動させることとなる。従って、セーフ球処理装置が不要であるため機構盤１０の下部のスペースに余裕ができ排出通路４６を設けることが可能となりアウト球とともにセーフ球も排出可能となった。
この結果セーフ球処理装置によるスペースの余裕のなさが解消されることとなって払い出し位置の限定も解除されることとなる。すなわち、わざわざ遊技盤５の一部を切り欠いて通路を設けるような遊技盤５の設計に影響を与えるような構造にする必要がなくなり、遊技盤５の下部位置に分岐機構６１を配置することが可能となっている。
また、セーフ球処理装置とともにセーフ球を誘導する誘導通路も不要となるため機構盤１０との機構的な関連は完全に解消されることとなる。更に、セーフ球処理装置が不要であるため分岐機構６１は機構的に簡単な構造となっている。これらの理由から敢えて機構盤側に設けずとも本実施の形態のように基板取り付けベース１１を介して遊技機本体４側に設けることが可能となっている。分岐機構６１の詳しい構造については後述する。
【００１７】
次に、パチンコ球発射機構２３について説明する。図１、図９〜図１２に示すように、遊技機本体４の右下方寄り（裏面から見ると左下方寄り）にはパチンコ球発射機構２３が配設されている。パチンコ球発射機構２３は前記操作ハンドル１５、発射ハンマ６３、モータ装置６４、図示しない発射カム，図示しないコイルバネ等から構成されている。
モータ装置６４は遊技者が操作ハンドル１５のハンドルリング１５ａに触れていることを条件に所定タイミング（本実施の形態では一分間に１００回の割合）で回転する。モータ装置６４の回転軸には発射カムが固着され、発射カムが回転することによりコイルバネの付勢力に抗して 発射ハンマ６３を回動させる。発射ハンマ６３は回転した発射カムと非係合となることによってコイルバネの付勢力によって一瞬に元の位置に戻ることとなる。この時の勢いによって遊技球が発射される。操作ハンドル１５のハンドルリング１５ａを回動させることでコイルバネの付勢力を制御し、発射ハンマ６３のパチンコ球（遊技球）への当接速度を調節するようになっている。
【００１８】
図１及び図１２に示すように、前記下受け皿用通路５３の右方には発射案内レール６５が配設されている。発射案内レール６５の下端（右端）は前記発射ハンマ６３の側方に配置され、発射ハンマ６３の進退方向と重複して左斜め上方に向かって延出されている。発射案内レール６５上端から先は発射されたパチンコ球（遊技球）がジャンプして飛び越えるジャンプ領域６７が形成されている。ジャンプ領域６７の下方には前記下受け皿用通路５３の第２の通路５３ｃを構成する天板６８が配置されている。天板６８上面は右下方に向かって下がる傾斜面とされているため、発射されても遊技面２０に至らず戻ってきてしまった勢いのないパチンコ球がジャンプ領域６７から天板６８上に落下し、そのパチンコ球は天板６８上を右方向に流下して発射案内レール６５の下方から返却通路６９内に導入されるようになっている。返却通路６９は本実施の形態では前記下受け皿用通路５３上部の開放空間５４に連通されている。発射案内レール６５の取り付けリブ６５ａには発射案内レール６５上にセットされた遊技球を下方から支持するストッパ７９が固着されている。
【００１９】
ここに図５に示すように、前方から発射案内レール６５を正視した場合発射案内レール４５の下端寄りはカバープレート１３の上端よりも下方位置に配置される。つまり、前方からでは正視できない隠れた位置に配置されることとなっている。これは遊技盤５の上下幅が上記のように拡張され従来の機種に比べて下方位置まで進出するようになったことに伴い発射案内レール６５を全体に下方位置にずらしたことによるものである。本来ならば発射案内レール６５が下がると操作ハンドル１５位置も下げることでこのように発射案内レール６５の下部が隠れた状態になることはない。しかし、パチンコ遊技機において操作ハンドル１５の位置は遊技者が操作しやすい位置に配置されるよう人間工学的に決まってしまっている。そのため、操作ハンドル１５位置を下げることはできない。しかし、遊技球の発射後の助走距離として所定長さの発射案内レール６５は必要である。そこで、このように構成したものである。
ここに、発射案内レール６５の最下端位置（発射準備位置）には次々と打ち出される遊技球が流入してくるため遊技球が確実に保持される必要がある。従来の機種では発射案内レール６５はその前面に配置される上部カバープレートに隣接していたため上部カバープレートからの遊技球の排出口をちょうど発射準備位置に面するような設計が可能であった。ところが、本実施の形態のようなカバープレート１３の上端から下方に隠れてしまっている発射準備位置ではこのような設計は困難である。すなわち、発射準備位置にセットされた遊技球（発射待機球）を前方から支持する手段がなくなってしまうこととなる。そこで、本実施の形態では図１２及び図１７に示すように発射案内レール６５の最下端位置に隣接して遊技球案内プレート７０が配設されている。
遊技球案内プレート７０は扉枠７側の上受け皿８から発射案内レール６５上に供給された遊技球を前方から支持する。すなわち、図１２及び図１７に示すように、発射準備位置に隣接した位置（前方位置）における同プレート７０の配置位置はその位置における発射案内レール６５よりも若干高い位置に配設される。これによって、発射案内レール６５の発射準備位置に配置される遊技球は同プレート７０よりも一段下がった位置において遊技球案内プレート７０によって前方から保持されることとなり正確な発射が可能となる。
カバープレート１３の下受け皿１４の左方には灰皿７２が配設されている。本実施の形態ではこの灰皿７２の裏面に前記音響機構２４の図示しないスピーカが配設されている。図１、図５及び図１２に示すように、発射案内レール６５の右方には鍵穴７３が形成されている。この鍵穴７３は遊技機本体４に対する扉枠７の開閉をつかさどるものである。
【００２０】
次に、扉枠７について詳述する。
図１〜図４に示すように、遊技盤５の前面には扉枠７が配設されている。扉枠７はヒンジ金具６の回動軸６ａを中心に回動し（つまり遊技機本体４の回動軸と同軸で）遊技機本体４に対して開閉可能にかつ着脱可能に装着されている。扉枠７は略長方形の外形を有し、中央にほぼ円形の大型の窓穴７５が形成されている。窓穴７５を円形としたのは遊技盤５の遊技面９の前記遊技領域２７に対応させたものである。窓穴７５には遊技盤５の遊技面９を露出させるためのガラスＧがはめ込まれている。扉枠７の後面側であって窓穴７５周縁には補強フレーム７４が配設されている。扉枠７の前面側であって窓穴７５の周縁には装飾用の装飾パネル７６が所定位置に配設されている。各装飾パネル７６内には図示しないランプが配設されメイン基板３３による制御に基づいて点滅させられる。
窓穴７５の下方位置には球貸し用の操作ボタン７７とカードの残量を表示する７セグ表示の表示パネル７８が配設されている。
【００２１】
操作ボタン７７及び表示パネル７８の下方には上受け皿８が配設されている。図１８及び図１９に示すように、上受け皿８は導入されてきたパチンコ球がプールされる流下面８１と流下面８１を包囲する包囲壁８２を備えている。流下面８１には図示しないパチンコ球貸し出し装置の配球ノズルから放出されたパチンコ球が落下当接する。流下面８１は右側下がりの傾斜に形成されるとともに、下流側（右側）が徐々に狭くなってパチンコ球が縦列配置されるような狭窄通路８４が形成されている。
上受け皿８には上流側（左側）の扉枠７壁面に形成されたパチンコ球導入口８３から導入されたパチンコ球がプールされると同時に徐々に下流側に流下して狭窄通路８４に至り、更に狭窄通路８４最下流に配置された供給口８５から扉枠７の背面側に導かれる。図１に示すように、供給口８５の扉枠７の対応する背面位置には前記遊技球案内プレート７０に遊技球を導く遊技球案内通路８７が配設されている。遊技球案内装置８７は上受け皿８の供給口８５から流下するパチンコ球を前記発射案内レール６５上に落下させる装置である。遊技球案内装置８７の側方には上受け皿８に溜まったパチンコ球を遊技者の操作で自主的に下受け皿１４に回避させる際の迂回通路８９が形成されている。
図１及び図１４に示すように、パチンコ球導入口８３の扉枠７の対応する背面位置には前記差し込み受け皿５７が後方に向かって突設形成されている。差し込み受け皿５７は扉枠７が遊技機本体４前面に装着された状態で前記導出口５１から開放空間５４に差し込まれパチンコ球処理領域２１から供給されたパチンコ球をパチンコ球導入口８３から上受け皿８に導く。前記操作ボタン７７及び表示パネル７８の裏面側には球貸し用基板が内蔵された球貸し用基板ボックス８８が配設されている。
【００２２】
図１８及び図１９に示すように、上受け皿８の流下面８１を包囲する包囲壁８２はパチンコ球導入口８３の周囲が他の部分よりも高く形成された高壁部８２ａとされている。高壁部８２ａの上端はパチンコ球導入口８３の上端位置よりも高い位置とされており、正面から正視した状態でパチンコ球導入口８３は包囲壁８２及び高壁部８２ａによって完全に覆われている。高壁部８２ａ（及び扉枠７の壁面）で包囲された流下面８１の左方位置（パチンコ球導入口８３の前方）はパチンコ球貸し出し装置の配球ノズルからパチンコ球が落下当接する位置である。従って、遊技盤５のサイズが大きくなって従来の機種に比べて上受け皿８が下方に配置されることとなり配球ノズルから流下面８１までの距離が長くなったとしても、高壁部８２ａによって配球ノズルから放出されたパチンコ球が飛び出すことがない。
ここに、従来の機種では上受け皿は扉枠とは別体に上部カバープレートに配設されていた。上部カバープレートは扉枠の下方位置に配設される部材である。そのため、扉枠を開放した際に上部カバープレートに設けられた上受け皿の壁の高さは扉枠の開放の邪魔とならないように（干渉しないように）高さに制限を設けざるを得なかった。そのためパチンコ球貸し出し装置の配球ノズルから上受け皿までの距離が長いと上受け皿に落下したパチンコ球が壁を乗り越えて外に飛び出してしまう可能性があった。従って、配球ノズルの位置はできる限り低くなるように設定されていた。また、壁が余り高くなりすぎないように配慮しながら上部カバープレートをデザインしなければならずデザイン上の制限があった。ところが、本実施の形態では上受け皿８は扉枠７側にあって扉枠７と一体となって開放されるため、高壁部８２ａの高さには制限はない（実際には遊技盤５の遊技面２０にかからない程度にする必要がある）。
【００２３】
次に、機構盤１０について説明する。
図２、図４及び図９に示すように、遊技盤５の背面側には機構盤１０が遊技機本体４に対して開閉可能に装着されている。機構盤１０は上下に配設されたヒンジ部９０（本実施の形態では下側のみ表示）によって遊技機本体４に支持されており、盤面に散点的に配置された開閉ピン９１の引き出し及び押し込みによって遊技機本体４に対して着脱可能とされる。機構盤１０の中央付近には大型開口部１０ａが形成されている。大型開口部１０ａの上半分はカバー９２によって背面から覆われている。
図９に示すように、遊技機本体４に対して機構盤１０が閉塞された状態で同大型開口部１０ａから遊技盤５の背面に配設された可変表示装置２９及びメイン基板３３が露出される。可変表示装置２９はカバー９２によって背面から覆われるが、メイン基板３３は目視確認のために覆われない。
機構盤１０の上部にはタンクＴが配設されている。タンクＴの下方にはタンクレール９３が配設されている。タンクレール９３はタンクＴから導入されたパチンコ球を図９において左方から右方に移動させる。本実施の形態では従来の機種に比べて遊技盤５が上方にも拡張されているためタンクＴは従来の機種に比べて若干浅めに形成されている。タンクレール９３の右方には下方に向かって払い出し機構としての払い出しユニット９５が配設されている。払い出しユニット９５は払い出し装置９６と、パチンコ球を払い出し装置９６に導く第１の流路９７と、パチンコ機の廃棄等によってパチンコ機を島から取り外す際に同第１の流路９７内の球抜きを行うための球抜き機構９８と、球抜きを行う際にパチンコ球が排出される球抜き流路９９と、払い出し装置９６の下流の第２の流路１００と、ベル１０１と、ベル１０１の下流の第３の流路１０３とより構成されている。
本実施の形態では２基の払い出し装置９６はセーフ球の発生に基づいて所定量のパチンコ球（賞球）を払い出す。パチンコ球は第２の流路１００を流下し途中ベル１０１に当接する。ベル１０１に当接したパチンコ球は第３の流路１０３を斜め下方（図９において左斜め下方）に導かれる。第３の流路１０３を流下したパチンコ球は基板取り付けベース１１内に至る。機構盤１０の背面を流下してきたパチンコ球はこの基板取り付けベース１１において前方に方向転換させられる。
【００２４】
図２、図４及び図９に示すように、機構盤１０の下方には基板取り付けベース１１が配設されている。基板取り付けベース１１は上下に配設されたヒンジ部１０５によって遊技機本体４に開閉可能に支持されており、図９において左方に配置された開閉ピン１０７の引き出し及び押し込みによって遊技機本体４に対して着脱可能とされている。図９、図２０及び図２１に示すように、基板取り付けベース１１には発射基板が収納される発射基板ボックス１１ａと、電源基板が収納される電源基板ボックス１１ｂが固着されている。図２１に示すように、払い出し基板が収納される払い出し基板ボックス１１ｃは着脱可能とされている。これは、不正防止の点から払い出し基板ボックス１１ｃのみを別途ユーザに供給する必要のためである。
【００２５】
図９、図２０〜図２５に示すように、基板取り付けベース１１の払い出し基板ボックス１１ｃの装着位置前面側には分岐機構としての分岐ユニット６１が着脱可能に配設されている。分岐ユニット６１は払い出し装置９６から流下するパチンコ球を遊技機本体４方向に導く際に上受け皿８方向と下受け皿１４と方向とのいずれかに分岐させる最初の分岐機構である。図２４に示すように、分岐ユニット６１は中空の全体として略方形の箱体として構成されており、内部に空間を仕切る第１の遮蔽板６６が配設されている。分岐ユニット６１は基板取り付けベース１１に対して固定片１０６を介してビス１０８によって固着されている。分岐ユニット６１は水平位置において図９に示すように遊技盤５が載置されている天板２２位置よりも下方に配置されている。すなわち、分岐ユニット６１は遊技盤５最下端位置よりも下方位置に配設されることとなり、基板取り付けベース１１を介して遊技機本体４側に装着されることとなる。
分岐ユニット６１内は３つの通路に仕切られている。図２３において右方から順に主通路用中間通路１０９、バイパス通路用中間通路１１０及び球抜き流路用通路１１１とされている。各通路１０９，１１０，１１１は水平に並んで配置されている。主通路用中間通路１０９及びバイパス通路用中間通路１１０は第１の遮蔽板６６によって区画され、バイパス通路用中間通路１１０と球抜き流路用通路１１１とは第２の遮蔽板７１によって区画されている。
図２２及び図２４に示すように、第１の遮蔽板６６は略直角三角形の外観とされ、第１の遮蔽板６６はビス１１２によって着脱可能に固定されている。第１の遮蔽板６６は三角形の斜辺部分が若干湾曲した湾曲傾斜面６６ａとされており、この湾曲傾斜面６６ａが主通路用中間通路１０９側を向くように配設されている。分岐ユニット６１の背面壁６１ａはこの第１の遮蔽板６６の着脱のためにビス１１３にて着脱可能とされている。
主通路用中間通路１０９の上方には第１の入球口１１４が開口されており、前面には第１の出球口１１５が開口されている。バイパス通路用中間通路１１０の上方には第２の入球口１１６が開口されており、前面には第２の出球口１１７が開口されている。球抜き流路用通路１１１の上方には第３の入球口１１８が開口されており、前面には第３の出球口１１９が開口されている。図２２に示すように、第１の入球口１１４は前記第３の流路１０３の斜め下方位置（すなわち流下するパチンコ球の流下方向の下流位置）に開口されており、第１の出球口１１５は主通路４７に接続されている。第２の入球口１１６は第３の流路１０３の主流下位置から外れた側方位置に開口されており、第２の出球口１１７はバイパス通路４９に接続さている。第３の入球口１１８は球抜き流路９９の下端出口と接続されており、パチンコ球は第３の出球口１１９から前記排出通路４６の第２の傾斜面５９上に落下することとなっている。
【００２６】
ここに、基板取り付けベース１１は機構盤１０とは別体に構成されている。従来の機種では発射基板、電源基板及び払い出し基板は機構盤に配設されており、かつ必ずしもこのようにまとまってチェックしやすい下方位置に配置されているわけではない。本実施の形態でこのように基板取り付けベース１１を機構盤１０と別体に構成するようになった理由は主として１）従来の機構盤が大型化、重量化してきたこと、２）別体とすることでパチンコ遊技機の組み立て作業が迅速化すること、３）逆に再利用する際の取り外しの容易さ等の理由からである。
更に、本実施の形態ではパチンコ遊技機としてゲーム内容に関わらず共通性のある基板を基板取り付けベース１１に機構盤１０とは別体としてまとめることで、保守・点検がしやすくなった。また、このように基板取り付けベース１１を設けることができるのは上記のようにセーフ球処理装置を廃したことから遊技機本体４のパチンコ球処理領域２１に排出通路４６を移動させることができることになって機構盤１０位置のスペースに余裕ができたことによるものでもある。図９〜図１１に示すように、機構盤１０の上下幅は遊技盤５の上下幅とほぼ同等に構成されているため、機構盤１０を開放することによって基板取り付けベース１１は開放あるいは取り外しをしなくとも遊技盤５の保守・点検更に交換等の作業を行うことができる。
また、発射基板ボックス１１ａ、電源基板ボックス１１ｂ及び払い出し基板ボックス１１ｃを排出通路４６から隔絶することによってパチンコ球同士が接触する際に発生する静電気由来のノイズ（電気的信号）の影響を受け難くすることも基板取り付けベース１１を別体で構成する理由である。
【００２７】
次に、このように構成された本実施の形態のパチンコ遊技機の特に払い出しユニット９５から基板取り付けベース１１にかけての作用について説明する。
払い出し基板ボックス１１ｃ内の図示しない払い出し基板上の制御装置の制御の下で払い出し装置９６が駆動されてパチンコ球が第２の流路１００から第３の流路１０３に流下する。第３の流路１０３を流下するパチンコ球は斜め下方位置（例えば図９では左斜め下方向）に向かって誘導される。すなわち、図９に示すように第３の流路１０３を流下する段階ではパチンコ球は遊技盤５の裏面側であってメイン基板３３の側方で払い出しユニット９５の内部を通過することとなる。以後パチンコ球は払い出しユニット９５とは別体に構成された払い出しユニット９５下方に接続された分岐ユニット６１に導入される。
分岐ユニット６１においてパチンコ球は基本的に第１の入球口１１４から主通路用中間通路１０９に導入される。パチンコ球は第１の遮蔽板６６の湾曲傾斜面６６ａを直撃するが、このように傾斜が設けられているため落下衝撃は緩和される。そしてパチンコ球は９０度前方に方向転換して第１の出球口１１５から主通路４７方向に導入される。
一方、図２５に示すように主通路用中間通路１０９にパチンコ球の渋滞（例えばパチンコ球の入賞による払い出し量が多くなって）が生じて主通路４７からあふれ出したパチンコ球が主通路用中間通路１０９に充満すると、パチンコ球は第１の遮蔽板６６を越えて第２の入球口１１６からバイパス通路用中間通路１１０内に導かれるようになる。バイパス通路用中間通路１１０内に導入されたパチンコ球は９０度前方に方向転換して第２の出球口１１７からバイパス通路４９方向に導入される。
【００２８】
また、機種の取り替えなどで一旦タンクＴ内のパチンコ球をすべて排出させる場合、つまり球抜き作業においては球抜き機構９８を作動させて球抜き流路９９から球を抜くことになる。このときのパチンコ球は球抜き流路９９を流下して第３の入球口１１８から分岐ユニット６１内に導入される。分岐ユニット６１においてパチンコ球は第３の入球口１１８から球抜き流路用通路１１１に導入される。球抜き流路用通路１１１内に導入されたパチンコ球は９０度前方に方向転換して第３の出球口１１９から排出通路４６の第２の傾斜面５９上に落下し外部に排出される。
また、分岐ユニット６１は基板取り付けベース１１の一部をなしており、基板取り付けベース１１は機構盤１０の下方にあって機構盤１０とは別体に構成されている。従って、基板取り付けベース１１はヒンジ部１０５によって遊技機本体４に対して開放すれば分岐ユニット６１も一緒に原位置から移動させられることとなる。その結果、払い出しユニット９５は底方向が露出して払い出し装置９６に至る各流路１００，１０３を目視して点検したり不具合を直したりすることを底方向から行うことが容易となる。また、主通路４７やバイパス通路４９も裏面側に露出することとなり、この内部を点検したり不具合をを直したりすることを裏面方向から行うことが容易となる。
【００２９】
このように構成することで本実施の形態では次のような効果を奏する。
（１）分岐ユニット６１によって常時は主通路４７方向にパチンコ球が導かれ、オーバーフロー状態となった時にバイパス通路４９方向に導かれるため上受け皿８からパチンコ球があふれ出したり逆に払い出しユニット９５内部にパチンコ球が詰まってしまったりすることがなく、安定した遊技が可能となっている。
（２）遊技機本体４前面側においても主通路４７から前記下受け皿用通路５３に溢れたパチンコ球が迂回させられるようになっている。すなわち、遊技機本体４の前後２箇所においてオーバーフローによる球詰まりを防止するように構成されているため確実にオーバーフロー状態を解消させることができる。
（３）分岐ユニット６１は基板取り付けベース１１に装着されているため、基板取り付けベース１１を開放することで払い出しユニット９５や主通路４７及びバイパス通路４９方向への連結状態が遮断されることとなる。そのため払い出しユニット９５が底方向が露出することとなるため払い出し装置９６に至る各流路１００，１０３を目視して点検したり不具合を直したりすることが可能となる。また、主通路４７やバイパス通路４９も裏面側に露出させることができるため、この内部を点検したり不具合をを直したりすることが可能となる。同様に球抜き流路９９も底方向が露出することとなるため目視して点検したり不具合を直したりすることが可能となる。
（４）分岐ユニット６１は基板取り付けベース１１にビス１０８によって固定されているにすぎないため、不具合が生じた際や点検のために容易に取り外すことができる。分岐ユニット６１は更に分岐ユニット６１の背面壁６１ａを取り外すことで第１の遮蔽板６６を交換することが可能となり、第３の流路１０３から落下するパチンコ球の直撃を受けてひびや変形等の不具合が生じやすい第１の遮蔽板６６の交換が容易に行える。
（５）分岐ユニット６１の位置は遊技盤５よりも下方位置に配置されるため遊技盤５裏面側に配設されるメイン基板３３から離間した位置に配設されることとなる。すなわち、分岐ユニット６１から下流の遊技機本体４前面側に導かれるパチンコ球はメイン基板３３に近接した位置を通過することがないため、オーバーフローしたパチンコ球が擦れ合って生じる静電気を原因とするメイン基板３３の誤作動が起こりにくくなっている。
（６）主通路用中間通路１０９、バイパス通路用中間通路１１０及び球抜き流路用通路１１１は水平に並んで配置されているため、特に種々の機構が配設されて余裕のない機構盤１０下方の省スペース化に寄与できる。また、主通路用中間通路１０９、バイパス通路用中間通路１１０は水平を保ったまま遊技機本体４側の主通路４７及びバイパス通路４９にそれぞれ接続されている。すなわち、遊技機本体４においても同様に遊技盤５の大型化に伴う上下方向の余裕のないパチンコ球処理領域２１における省スペース化に寄与できる。その結果として、遊技盤５の大型化にもかかわらず遊技機本体４の前後２箇所におけるオーバーフロー機構の配設が可能となっている。
【００３０】
尚、この発明は、次のように変更して具体化することも可能である。
・上記実施の形態では分岐ユニット６１は基板取り付けベース１１に装着され、この基板取り付けベース１１は遊技機本体４側に装着されるようになっていた。しかし、基板取り付けベース１１を機構盤１０側に装着するようにしても構わない。
・分岐ユニット６１は基板取り付けベース１１に交換可能に装着され、この基板取り付けベース１１を介して遊技機本体４側に装着されるようになっていた。しかし、分岐ユニット６１を直接遊技機本体４側に交換可能に装着するようにしてもよい。ここに従来では機構盤と遊技機本体との間に若干形成される隙間から異物を挿入し、この分岐ユニットに不正をする可能性があった。しかし、このように構成すると分岐ユニットが直接遊技機本体４側に形成されるためこのような不正が生じにくくなる。
また、遊技機本体４側ではなく機構盤１０側に交換可能に装着するようにしてもよい。
・上記実施の形態では第１の遮蔽板６６を交換することが可能であったが、交換できない分岐ユニット６１であっても構わない。
・遊技機本体４を金属製素材より構成し、長期間使用可能とした機種に応用するようにしてもよい。
・分岐ユニット６１の形状は一例であって上記実施の形態に限定されるものではない。
・上記実施の形態では機構盤１０と基板取り付けベース１１は別体であったが、分岐ユニット６１が基板取り付けベース１１に交換可能である限りこれらは一体であっても構わない。
・上記第１の遮蔽板６６にアース部材としての導電性金属板をパチンコ球が落下する位置に配置し、パチンコ球表面の静電気をアースするようにしてもよい。このような構成では落下する際に周囲のパチンコ球同士が接触して生じる静電気が除電されるため静電気を原因とするノイズが防止できる。アース部材としてはその他遮蔽部材自体を導電性金属で構成したり、導電性金属の薄膜を蒸着させたりしてもよい。
・本実施の形態はいわゆる現金機以外のＣＲ機にも応用可能である。
・本発明はいわゆるパチロットと呼称されるパチンコ球を使ってのスロットマシンに応用するようにしてもよい。
その他、本発明の趣旨を逸脱しない態様で実施することは自由である。
【００３１】
本発明の目的を達成するために上記実施の形態から把握できるその他の技術的思想について下記に付記として説明する。
（１）前記分岐機構を前記遊技台に装着したことを特徴とする請求項１に記載の遊技機。
（２）前記遊技面は前記遊技台の上半身に配置された遊技盤前面に形成され、前記分岐機構を同遊技盤の最下端よりも下方位置に配置させたことを特徴とする請求項１又は付記１に記載の遊技機。
（３）前記分岐機構は前記遊技台裏面に配設された機構盤に装着されていることを特徴とする請求項１に記載の遊技機。
（４）前記払い出し機構の下方であって前記遊技台の裏面には各種制御基板を搭載する基板取り付けベースを配設し、前記分岐機構を同基板取り付けベースに配設したことを特徴とする請求項１に記載の遊技機。
基板取り付けベースは機構盤に装着されていても遊技台に装着されていてもよい。上記実施の形態のように開閉可能でかつ着脱可能であることがより好ましい。分岐機構は基板取り付けベースと一体化してもよく、上記実施の形態のように分岐機構を基板取り付けベースに対して着脱可能としてもよい。
（５）前記分岐機構は交換可能に基板取り付けベースに装着されている付記４に記載の遊技機。
（６）前記基板取り付けベースを開放した状態で前記分岐機構は退避して前記払い出し機構並びに上受け皿及び下受け皿方向への通路が露出されるようにした付記４又は５に記載の遊技機。
（７）前記分岐機構内には常時は前記上受け皿方向に導かれるパチンコ球がオーバーフロー通路方に導かれないように遮蔽するとともにオーバーフロー状態においてパチンコ球が同分岐機構内の滞留したパチンコ球を乗り越えて同オーバーフロー通路へ流入することを許容する遮蔽部材が配設され、同遮蔽部材を交換可能としたことを特徴とする請求項１若しくは付記１〜６のいずれかに記載の遊技機。
（８）前記遮蔽部材は落下するパチンコ球の直撃をうけることを特徴とする請求項１若しくは付記１〜７のいずれかに記載の遊技機。
（９）前記遮蔽部材には落下するパチンコ球の衝撃を緩和する緩和手段が設けられていることを特徴とする請求項１若しくは付記１〜７のいずれかに記載の遊技機。これは例えば上記第１の遮蔽板６６に形成した湾曲傾斜面６６ａであってもよく、緩衝ゴムを落下するパチンコ球が当接する面に貼着するようにしてもよい。
（１０）前記遮蔽部材の落下するパチンコ球が当接する部位にアース部材を配設したことを特徴とする請求項１若しくは付記１〜８のいずれかに記載の遊技機。このような構成では落下する際に周囲のパチンコ球同士が接触して生じる静電気が除電されるため静電気を原因とするノイズが防止できる。アース部材としては例えば導電性金属板が挙げられる。また、遮蔽部材自体を導電性金属で構成したり、導電性金属の薄膜を蒸着させたりしてもよい。
（１１）前記分岐機構内にはタンクの球抜きを行う際にパチンコ球が排出される球抜き流路が接続され、球抜きされたパチンコ球は同分岐機構を経由して排出されることを特徴とする請求項１若しくは付記１〜１０のいずれかに記載の遊技機。
（１２）遊技機用の各種制御基板は前記分岐機構から上受け皿及び下受け皿に至る通路に隣接させないことを特徴とする請求項１若しくは付記１〜１１のいずれかに記載の遊技機。このようにすればパチンコ球同士が接触する際に生じる静電気の影響を基板が受けにくくなる。
（１３）前記払い出し機構は電気的に検出されたセーフ球のカウント数に基づいて賞球を放出するようにしたことを特徴とする請求項１若しくは付記１〜１２のいずれかに記載の遊技機。これによって従来のセーフ球処理装置が不要になるため、遊技盤位置に後方から前方へのパチンコ球の通路を形成する必要がなくなる。
（１４）前記分岐機構の通常のパチンコ球の通路となる主通路用中間通路及びオーバーフロー時にパチンコ球を迂回させるバイパス通路用中間通路は水平に並んで配設されていることを特徴とする請求項１若しくは付記１〜１３のいずれかに記載の遊技機。これによって、特に種々の機構が配設されて余裕のない機構盤下方の省スペース化に寄与できる。
【００３２】
【図面の簡単な説明】
【図１】  本発明の実施の形態のパチンコ遊技機の開放した状態を示す概略斜視図。
【図２】  同じパチンコ遊技機の分解側面図。
【図３】  同じパチンコ遊技機の正面図。
【図４】  同じパチンコ遊技機の側面図。
【図５】  同じパチンコ遊技機の扉枠を外した状態の正面図。
【図６】  同じパチンコ遊技機の遊技盤の正面図。
【図７】  同じパチンコ遊技機の遊技機本体の上半身の正面図。
【図８】  同じパチンコ遊技機の遊技機本体の上半身の側断面図。
【図９】  同じパチンコ遊技機の背面図。
【図１０】  同じパチンコ遊技機の機構盤を外した状態の背面図。
【図１１】  図１０においてメイン基板周辺を取り外した状態の背面図。
【図１２】  同じパチンコ遊技機のパチンコ球処理領域付近の斜め上方からの斜視図。
【図１３】  図５におけるＡ−Ａ線での断面図。
【図１４】  図５におけるＡ−Ａ線での断面図。
【図１５】  図５におけるＢ−Ｂ線での断面図。
【図１６】  同じパチンコ遊技機の主通路、バイパス通路及び導出口の断面図。
【図１７】  図５におけるＣ−Ｃ線での断面図。
【図１８】  同じパチンコ遊技機の上受け皿の平面図。
【図１９】  同じパチンコ遊技機の上受け皿の断面図。
【図２０】  同じパチンコ遊技機の基板取り付けベースの平面図。
【図２１】  同じパチンコ遊技機の基板取り付けベースの斜視図。
【図２２】  分岐ユニット周辺の切り欠き背面図。
【図２３】  同じパチンコ遊技機の基板取り付けベースの正面図。
【図２４】  分岐ユニットの分解斜視図。
【図２５】  図２２においてパチンコが溢れた状態を説明する説明図。
【図２６】  従来のパチンコ遊技機の機構盤の一部の背面図。
【図２７】  従来のパチンコ遊技機の遊技機本体の一部の正面図。
【図２８】  従来のパチンコ遊技機の上受け皿、遊技機本体及び機構盤の一部断面部分平面図。
【図２９】  従来のパチンコ遊技機の上受け皿、遊技機本体及び機構盤の一部断面部分平面図。
【図３０】  図２６の機構盤の分岐機構にパチンコ球が詰まった状態を説明する背面図。
【符号の説明】  １…支持枠体としての外枠、４…遊技台としての遊技機本体、５…遊技盤、７…扉枠、８…上受け皿、１４…下受け皿、２０…遊技面、６１…分岐機構としての分岐ユニット、９５…払い出し機構としての払い出しユニット。
【手続補正２】
【補正対象書類名】明細書
【補正対象項目名】図１
【補正方法】変更
【補正の内容】
【図１】
2003038803.tif 000001
【手続補正３】
【補正対象書類名】明細書
【補正対象項目名】図５
【補正方法】変更
【補正の内容】
【図５】
2003038803.tif 000002
【手続補正４】
【補正対象書類名】明細書
【補正対象項目名】図８
【補正方法】変更
【補正の内容】
【図８】
2003038803.tif 000003
【手続補正５】
【補正対象書類名】明細書
【補正対象項目名】図１２
【補正方法】変更
【補正の内容】
【図１２】
2003038803.tif 000004
【手続補正６】
【補正対象書類名】明細書
【補正対象項目名】図１７
【補正方法】変更
【補正の内容】
【図１７】
2003038803.tif 000005